(57)【要約】【課題】大画面のパネルであっても表示電極対のそれぞれに所望の駆動電圧波形を供給して、品質の良い画像を表示する。【解決手段】プラズマディスプレイパネルを有し、そのプラズマディスプレイパネルの走査電極および維持電極に駆動電圧を印加して画像を表示するプラズマディスプレイ装置１であって、走査電極および維持電極の少なくとも一方に駆動電圧を供給するための複数の電圧供給用プリント基板５３２〜５３４と、この電圧供給用プリント基板を介して走査電極および維持電極の少なくとも一方に供給する維持パルスを発生させる維持パルス発生用プリント基板５３１と、この維持パルス発生用プリント基板５３１から電圧供給用プリント基板５３２〜５３４へ維持パルスを供給する導電板９００とを備えた。【選択図】図７
2008040407.tif 000002
【特許請求の範囲】
【請求項１】
走査電極および維持電極からなる表示電極対とデータ電極との交差部に放電セルを形成したプラズマディスプレイパネルを有し、そのプラズマディスプレイパネルの前記走査電極および維持電極に駆動電圧を印加して画像を表示するプラズマディスプレイ装置であって、
前記走査電極および維持電極の少なくとも一方に駆動電圧を供給するための複数の電圧供給用プリント基板と、
この電圧供給用プリント基板を介して前記走査電極および維持電極の少なくとも一方に供給する維持パルスを発生させる維持パルス発生用プリント基板と、
この維持パルス発生用プリント基板から前記電圧供給用プリント基板へ維持パルスを供給する導電板とを備えたことを特徴とするプラズマディスプレイ装置。
【請求項２】
前記電圧供給用プリント基板は、走査パルスを発生するものであることを特徴とする請求項１に記載のプラズマディスプレイ装置。
【発明の詳細な説明】
【技術分野】
【０００１】
本発明は、プラズマディスプレイパネルを用いた画像表示装置であるプラズマディスプレイ装置に関する。
【背景技術】
【０００２】
画像表示パネルとして代表的なプラズマディスプレイパネル（以下、単に「パネル」と略記する）を用いたプラズマディスプレイ装置は、視野角が広く大画面化が容易であり、かつ自発光型であり画像表示品質が高いこと等から大画面画像表示装置の主流となりつつある。
【０００３】
パネルは、対向配置された前面板と背面板との間に多数の放電セルが形成されている。前面板は、１対の走査電極と維持電極とからなる表示電極対が前面ガラス基板上に互いに平行に複数対形成されている。背面板は、背面ガラス基板上に複数の平行なデータ電極が形成され、さらに隔壁と蛍光体層が形成されている。そして、表示電極対とデータ電極とが立体交差するように前面板と背面板とが対向配置されて密封され、内部の放電空間には放電ガスが封入されている。ここで表示電極対とデータ電極との対向する部分に放電セルが形成される。
【０００４】
プラズマディスプレイ装置は、表示電極対に交互に維持パルスを印加してこれらの放電セルを放電、発光させることにより画像を表示している。
【０００５】
各放電セルで維持放電を安定して発生させるためには、通常百数十ボルトの振幅で立上り時間が１μｓｅｃ以下の急峻な形状を持つ維持パルスを表示電極対に印加する必要がある。そしてこのとき、例えば表示画面サイズが４０インチのパネルであれば数十アンペアを超える大きな電流が瞬間的に流れる。そのため、駆動回路から表示電極対のそれぞれにいたる電流経路のインピーダンスを小さくして維持パルスにリンギング等が重畳しないように、また大きな電流による電圧降下が発生しないように、駆動回路の配置や配線等を工夫することが安定した放電を発生させるために非常に重要である。例えば、駆動回路の配置とその配線を工夫して、寄生インダクタンスを低減しパネルの電圧波形のリンギングを低減したプラズマディスプレイ装置が特許文献１に開示されている。
【特許文献１】特開２００４−３４７５４２号公報
【発明の開示】
【発明が解決しようとする課題】
【０００６】
しかしながら、さらにパネルの大画面化が進むにつれて、パネル容量を充放電するための変位電流や放電に伴う放電電流も表示画面サイズの２乗に比例して増大し、電流経路のわずかなインピーダンスも画像表示品質を低下させる要因となってきている。また、パネルの大画面化に伴い、駆動回路からそれぞれの表示電極対までの電流経路のインピーダンスの差も大きくなるが、この電流経路の差に起因する画像表示品質の差も無視できないほど大きくなってきている。
【０００７】
実際、パネルの表示画面サイズが１００インチ程度に大きくなると、パネルの短辺の長さが１ｍ以上、長辺の長さが２ｍ以上となり、その分、電流経路の長さが長くなってインピーダンスが高くなるだけでなく、駆動回路から表示電極対のそれぞれにいたる電流経路の長さが同じにならず、表示画面の中央部の表示電極対までは比較的短く配線することが可能であるが、表示画面の上部および下部の表示電極対までは長くなってしまう。そのため、表示電極対のそれぞれに同じ駆動電圧波形を供給することが極めて難しくなる。そして、駆動電圧波形に大きなリンギングが重畳されたり、表示電極対のそれぞれに印加される駆動電圧波形に大きなバラツキが生じると、輝度むら、色むら等が発生し、画像表示品質が大きく低下する。
【０００８】
本発明は、これらの課題に鑑みなされたものであり、大画面のパネルであっても表示電極対のそれぞれに所望の駆動電圧波形を供給して、品質の良い画像を表示できるプラズマディスプレイ装置を提供することを目的とする。
【課題を解決するための手段】
【０００９】
本発明は、走査電極および維持電極からなる表示電極対とデータ電極との交差部に放電セルを形成したパネルを有し、そのプラズマディスプレイパネルの走査電極および維持電極に駆動電圧を印加して画像を表示するプラズマディスプレイ装置であって、走査電極および維持電極の少なくとも一方に駆動電圧を供給するための複数の電圧供給用プリント基板と、この電圧供給用プリント基板を介して走査電極および維持電極の少なくとも一方に供給する維持パルスを発生させる維持パルス発生用プリント基板と、この維持パルス発生用プリント基板から電圧供給用プリント基板へ維持パルスを供給する導電板とを備えたことを特徴とする。この構成により、大画面のパネルであっても表示電極対のそれぞれに所望の駆動電圧波形を供給して、品質の良い画像を表示できるプラズマディスプレイ装置を提供することができる。
【００１０】
また本発明のプラズマディスプレイ装置の電圧供給用プリント基板は走査パルスを発生するものであってもよい。
【発明の効果】
【００１１】
本発明によれば、大画面のパネルであっても表示電極対のそれぞれに所望の駆動電圧波形を供給して、品質の良い画像を表示できるプラズマディスプレイ装置を提供することが可能となる。
【発明を実施するための最良の形態】
【００１２】
以下、本発明の実施の形態におけるプラズマディスプレイ装置について、図面を用いて説明する。
【００１３】
（実施の形態１）
本実施の形態におけるパネルは表示画面サイズが１０３インチであり、パネルの大きさは、長辺の長さが約２．３ｍ、短辺の長さが約１．３ｍである。
【００１４】
図１は、本発明の実施の形態１におけるパネル１０の構造を示す分解斜視図である。ガラス製の前面基板２１上には、走査電極２２と維持電極２３とからなる表示電極対２８が複数形成されている。そして走査電極２２と維持電極２３とを覆うように誘電体層２４が形成され、その誘電体層２４上に保護層２５が形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１５】
これら前面基板２１と背面基板３１とは、微小な放電空間を挟んで表示電極対２８とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２８とデータ電極３２とが交差する部分に放電セルが形成されている。そしてこれらの放電セルが放電、発光することにより画像が表示される。
【００１６】
なお、パネル１０の構造は上述したものに限られるわけではなく、例えばストライプ状の隔壁を備えたものであってもよい。
【００１７】
図２は、本発明の実施の形態１におけるパネル１０の電極配列図である。パネル１０には、行方向に長いｎ本（本実施の形態においてはｎ＝１０８０）の走査電極ＳＣ１〜ＳＣｎ（図１の走査電極２２）およびｎ本の維持電極ＳＵ１〜ＳＵｎ（図１の維持電極２３）が配列され、列方向に長いｍ本（本実施の形態においてはｍ＝５７６０）のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。なお、図１、図２に示したように、走査電極ＳＣｉと維持電極ＳＵｉとは互いに平行に対をなして形成されているために、走査電極ＳＣ１〜ＳＣｎと維持電極ＳＵ１〜ＳＵｎとの間に大きな電極間容量Ｃｐが存在する。
【００１８】
図３は、本発明の実施の形態１におけるプラズマディスプレイ装置１の回路ブロック図である。プラズマディスプレイ装置１は、パネル１０、画像信号処理回路５１、データ電極駆動回路５２、走査電極駆動回路５３、維持電極駆動回路５４、タイミング発生回路５５および各回路ブロックに必要な電源を供給する電源回路（図示せず）を備えている。
【００１９】
画像信号処理回路５１は、入力された画像信号ｓｉｇをサブフィールド毎の発光・非発光を示す画像データに変換する。データ電極駆動回路５２はサブフィールド毎の画像データを各データ電極Ｄ１〜Ｄｍに対応する信号に変換し各データ電極Ｄ１〜Ｄｍを駆動する。タイミング発生回路５５は水平同期信号Ｈ、垂直同期信号Ｖをもとにして各回路ブロックの動作を制御する各種のタイミング信号を発生し、それぞれの回路ブロックへ供給する。走査電極駆動回路５３は、維持期間において維持パルスを発生するための維持パルス発生部１００、初期化期間において傾斜波形電圧を発生させるための初期化波形発生部３００、書込み期間において走査パルスを発生させる走査パルス発生部４００を有し、タイミング信号にもとづいて各走査電極ＳＣ１〜ＳＣｎをそれぞれ駆動する。維持電極駆動回路５４は、維持期間において維持パルスを発生するための維持パルス発生部２００を有し、タイミング信号にもとづいて維持電極ＳＵ１〜ＳＵｎを駆動する。
【００２０】
図４は、本発明の実施の形態１におけるプラズマディスプレイ装置１の走査電極駆動回路５３の詳細を示す回路図である。維持パルス発生部１００は、電力回収部１１０とクランプ部１２０とを備えている。電力回収部１１０は、電力回収用のコンデンサＣ１００、スイッチング素子Ｑ１１１、Ｑ１１２、逆流防止用のダイオードＤ１０１、Ｄ１０２、共振用のインダクタＬ１００を有している。なお、電力回収用のコンデンサＣ１００は電極間容量Ｃｐに比べて十分に大きい容量を持ち、電力回収部１１０の電源として働くように、後述する電圧値Ｖｓの半分の約Ｖｓ／２に充電されている。クランプ部１２０は、スイッチング素子Ｑ１２１、Ｑ１２２を有している。さらに電圧源Ｖｓのインピーダンスを下げるための平滑コンデンサＣ１５０を備えている。初期化波形発生部３００は、スイッチング素子Ｑ３１１とコンデンサＣ３１０と抵抗Ｒ３１０とを有するミラー積分回路、スイッチング素子Ｑ３２２とコンデンサＣ３２０と抵抗Ｒ３２０とを有するミラー積分回路、スイッチング素子Ｑ３１２を用いた分離回路およびスイッチング素子Ｑ３２１を用いた分離回路を備える。走査パルス発生部４００は、走査電極ＳＣ１〜ＳＣｎのそれぞれに走査パルス電圧を出力するスイッチ部ＯＵＴ１〜ＯＵＴｎと、スイッチ部ＯＵＴ１〜ＯＵＴｎの低電圧側を電圧Ｖａにクランプするためのスイッチング素子Ｑ４０１とを備えている。そしてスイッチ部ＯＵＴ１〜ＯＵＴｎのそれぞれは、電圧Ｖｃを出力するためのスイッチング素子ＱＨ１〜ＱＨｎと電圧Ｖａを出力するためのスイッチング素子ＱＬ１〜ＱＬｎとを有している。
【００２１】
ここで、スイッチング素子Ｑ１２１、Ｑ１２２、Ｑ３１２、Ｑ３２１には非常に大きな電流が流れるために、これらのスイッチング素子にはＦＥＴ、ＩＧＢＴ等を複数並列接続してインピーダンスを低下させている。
【００２２】
図５は、本発明の実施の形態１におけるプラズマディスプレイ装置１の維持電極駆動回路５４の詳細を示す回路図である。維持パルス発生部２００は維持パルス発生部１００と同様の構成である。すなわち、電力回収用のコンデンサＣ２００、スイッチング素子Ｑ２１１、Ｑ２１２、逆流防止用のダイオードＤ２０１、Ｄ２０２、共振用のインダクタＬ２００を有する電力回収部２１０と、スイッチング素子Ｑ２２１、Ｑ２２２、平滑コンデンサＣ２５０を有するクランプ部２２０とを備え、パネル１０の維持電極ＳＵ１〜ＳＵｎに接続されている。また、図５には、電圧Ｖｅ１を維持電極ＳＵ１〜ＳＵｎに印加するためのスイッチング素子Ｑ２３１、Ｑ２３２と逆流防止用のダイオードＤ２３１と、電圧Ｖｅ１に電圧ΔＶｅを積み上げた電圧Ｖｅ２を維持電極ＳＵ１〜ＳＵｎに印加するためのスイッチング素子Ｑ２４１、Ｑ２４２およびコンデンサＣ２４１もあわせて示している。
【００２３】
ここでも、スイッチング素子Ｑ２２１、Ｑ２２２には非常に大きな電流が流れるために、これらのスイッチング素子にはＦＥＴ、ＩＧＢＴ等を複数並列接続してインピーダンスを低下させている。
【００２４】
次に、パネルを駆動するための駆動電圧波形とその動作について説明する。パネルを駆動する方法としてはサブフィールド法を用いている。これは、１フィールド期間を複数のサブフィールドに分割し、それぞれのサブフィールドで各放電セルの発光・非発光を制御することにより階調表示を行う方法である。そして、サブフィールドのそれぞれは、初期化期間、書込み期間および維持期間を有する。初期化期間では放電セルで初期化放電を行い、続く書込み動作のために必要な壁電荷を形成する。書込み期間では、走査電極に順次走査パルスを印加するとともにデータ電極には表示すべき画像信号に対応した書込みパルスを印加して書込み放電を行い、選択的な壁電荷形成を行う。続く維持期間では発光させるべき表示輝度に応じた所定の回数の維持パルスを走査電極と維持電極との間に印加し、書込み放電による壁電荷形成を行った放電セルを選択的に放電、発光させる。
【００２５】
以下に、パネル１０を駆動するための駆動電圧波形の詳細とその動作について説明する。図６は、本発明の実施の形態１におけるプラズマディスプレイ装置の駆動電圧波形図である。図６には、第１のサブフィールドと第２のサブフィールドとの駆動電圧波形を示している。
【００２６】
第１のサブフィールドの初期化期間前半部では、データ電極Ｄ１〜Ｄｍ、維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧は、図４においてスイッチング素子Ｑ３１１とコンデンサＣ３１０と抵抗Ｒ３１０で構成されるミラー積分回路をオンすることで発生させる。そしてスイッチング素子Ｑ３２１、ＱＬ１を介して走査電極ＳＣ１に印加され、スイッチング素子Ｑ３２１、ＱＬ２を介して走査電極ＳＣ２に印加され、以下同様に、スイッチング素子Ｑ３２１、ＱＬｎを介して走査電極ＳＣｎに印加される。この傾斜波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う誘電体層上、保護層上、蛍光体層上等に蓄積された壁電荷により生じる電圧を表す。
【００２７】
初期化期間後半部では、維持電極ＳＵ１〜ＳＵｎにスイッチング素子Ｑ２３１、Ｑ２３２を介して正の電圧Ｖｅ１を印加する。なお、このときスイッチング素子Ｑ２４２をオンし、コンデンサＣ２４１の電圧が電圧Ｖｅ１になるように充電しておく。走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この傾斜波形電圧は、図４においてスイッチング素子Ｑ３２２とコンデンサＣ３２０と抵抗Ｒ３２０で構成されるミラー積分回路をオンすることで発生させる。そしてスイッチング素子Ｑ３２１およびスイッチング素子ＱＬ１〜ＱＬｎを介して走査電極ＳＣ１〜ＳＣｎに印加される。この間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。
【００２８】
以上により、初期化動作が終了する。なお、初期化期間の駆動電圧波形としては、図６の第２のサブフィールドの初期化期間に示したように、初期化期間後半部の電圧波形だけを印加してもよく、この場合には直前のサブフィールドの維持期間において維持放電を行った放電セルで選択的に初期化放電が発生する。
【００２９】
続く書込み期間では、スイッチング素子Ｑ４０１をオンにし、スイッチング素子ＱＨ１〜ＱＨｎをオンにすることにより、走査電極ＳＣ１〜ＳＣｎに電圧Ｖｃを印加する。そしてスイッチング素子Ｑ２４２をオフにし、スイッチング素子Ｑ２３１、Ｑ２３２、Ｑ２４１をオンにして、維持電極ＳＵ１〜ＳＵｎに電圧Ｖｅ１＋ΔＶｅ、すなわち電圧Ｖｅ２を印加する。次に、スイッチング素子ＱＨ１をオフにしスイッチング素子ＱＬ１をオンにすることにより、１行目の走査電極ＳＣ１に負の走査パルス電圧Ｖａを印加する。そして、データ電極Ｄ１〜Ｄｍのうち１行目に発光させるべき放電セルのデータ電極Ｄｋ（ｋ＝１〜ｍ）に正の書込みパルス電圧Ｖｄを印加する。するとデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧との差が加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜Ｄｍと走査電極ＳＣ１との交差部の電圧は放電開始電圧を超えないので、書込み放電は発生しない。以上の書込み動作をｎ行目の放電セルにいたるまで行い、書込み期間が終了する。
【００３０】
維持期間では、スイッチング素子Ｑ２１２をオンにする。すると維持電極ＳＵ１〜ＳＵｎ側の電荷はインダクタＬ２００、ダイオードＤ２０２、スイッチング素子Ｑ２１２を通してコンデンサＣ２００に流れ始め、維持電極ＳＵ１〜ＳＵｎの電圧が下がり始める。そして、維持電極ＳＵ１〜ＳＵｎの電圧が０（Ｖ）付近まで低下したときスイッチング素子Ｑ２２２をオンにする。すると維持電極ＳＵ１〜ＳＵｎはスイッチング素子Ｑ２２２を通して０（Ｖ）にクランプされる。
【００３１】
さらに、スイッチング素子Ｑ１１１をオンにする。すると電力回収用のコンデンサＣ１００からスイッチング素子Ｑ１１１、ダイオードＤ１０１、インダクタＬ１００、スイッチング素子Ｑ３１２、Ｑ３２１およびスイッチング素子ＱＬ１〜ＱＬｎを介して電流が流れ始め、走査電極ＳＣ１〜ＳＣｎの電圧が上がり始める。そして、走査電極ＳＣ１〜ＳＣｎの電圧がＶｓ付近まで上昇したときスイッチング素子Ｑ１２１をオンにする。すると走査電極ＳＣ１〜ＳＣｎはスイッチング素子Ｑ１２１、スイッチング素子Ｑ３１２、Ｑ３２１およびスイッチング素子ＱＬ１〜ＱＬｎを通して平滑コンデンサＣ１５０の電圧Ｖｓにクランプされる。
【００３２】
このようにして、維持電極ＳＵ１〜ＳＵｎに０（Ｖ）を印加するとともに走査電極ＳＣ１〜ＳＣｎに正の維持パルス電圧Ｖｓを印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。そして、走査電極ＳＣｉと維持電極ＳＵｉとの間に維持放電が起こり、このとき発生した紫外線により蛍光体層３５が発光する。
【００３３】
そしてこの放電により、走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００３４】
続いて、詳細は省略するが、走査電極ＳＣ１〜ＳＣｎには０（Ｖ）を、維持電極ＳＵ１〜ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。
【００３５】
以降同様に、走査電極ＳＣ１〜ＳＣｎと維持電極ＳＵ１〜ＳＵｎとに交互に輝度重みに応じた数の維持パルスを印加し、表示電極対の電極間に電位差を与えることにより、書込み期間において書込み放電を起こした放電セルで維持放電が継続して行われる。
【００３６】
そして、維持期間の最後には、走査電極ＳＣ１〜ＳＣｎと維持電極ＳＵ１〜ＳＵｎとの間にいわゆる細幅パルス状の電位差を与えて、データ電極Ｄｋ上の正の壁電圧を残したまま、走査電極ＳＣｉおよび維持電極ＳＵｉ上の壁電圧を消去している。こうして維持期間における維持動作が終了する。
【００３７】
なお、上述した維持放電に伴い、放電を起こした放電セルの数に応じた放電電流が流れる。例えばすべての放電セルで放電が発生したとすると、瞬間的に１００Ａを超える非常に大きな電流が流れる。しかしながら本実施の形態においては、詳細は後述するが、平滑コンデンサＣ１５０から各走査電極ＳＣｉにいたる電流経路のインピーダンスが非常に小さくなるように駆動回路の配置を工夫しているため、大きな電圧降下を発生させることなく所望の維持パルスを表示電極対に印加することができる。
【００３８】
続くサブフィールドの動作は第１サブフィールドの動作とほぼ同様であるため説明を省略する。
【００３９】
なお、本実施の形態において各電極に印加する電圧値は、例えば、電圧Ｖｉ１＝電圧Ｖｉ３＝電圧Ｖｓ＝２００（Ｖ）、電圧Ｖｉ２＝４４０（Ｖ）、電圧Ｖｉ４＝−８０（Ｖ）、電圧Ｖａ＝−８５（Ｖ）、電圧Ｖｅ１＝１５０（Ｖ）、電圧Ｖｅ２＝１５５（Ｖ）である。ただしこれらの電圧値は、単に一例を挙げたに過ぎず、パネルの特性やプラズマディスプレイ装置の仕様等に合わせて、適宜最適な値に設定することが望ましい。
【００４０】
図７は、本発明の実施の形態１におけるプラズマディスプレイ装置１の構造を示す分解斜視図である。プラズマディスプレイ装置１は、パネル１０と、パネル１０を保持するシャーシ８０と、パネル１０で発生した熱をシャーシ８０に伝達するとともに、パネル１０とシャーシ８０とを接着するための熱伝導シート８２と、電源回路、走査電極駆動回路、維持電極駆動回路、タイミング発生回路等、パネル１０を駆動するための回路ブロック８４と、これらを収納する前面枠８６およびバックカバー８８とを備える。
【００４１】
なお、上述したように１０３インチのパネルでは短辺の長さがほぼ１．３ｍであるが、通常使用できるプリント基板の大きさは大きくとも一辺が５０ｃｍ程度であるため、複数枚のプリント基板を用いて走査電極駆動回路５３、維持電極駆動回路５４を構成している。
【００４２】
図７には、回路ブロック８４のうち、走査電極駆動回路５３を搭載した４枚のプリント基板５３１〜５３４と、これら４枚のプリント基板５３１〜５３４を電気的に接続する導電板９００と、導電板９００を絶縁するための絶縁シート９１０、９１２を示している。
【００４３】
図８は、本発明の実施の形態１における各電極駆動回路を搭載したプリント基板の配置を示す図であり、プラズマディスプレイ装置１のバックカバー８８を外した状態で、各電極駆動回路を搭載したプリント基板とその配置を模式的に示す図である。図８には、シャーシ８０、データ電極駆動回路５２を搭載した１２枚のプリント基板５２１と３２枚のフレキシブル基板（以下、「ＦＰＣ」と略記する）５２９、走査電極駆動回路５３を搭載した４枚のプリント基板５３１〜５３４、維持電極駆動回路５４を搭載した３枚のプリント基板５４１〜５４３を示している。さらに走査電極駆動回路５３の出力電圧を走査電極ＳＣ１〜ＳＣｎのそれぞれに印加するためのＦＰＣ５３９、維持電極駆動回路５４の出力電圧を維持電極ＳＵ１〜ＳＵｎに印加するためのＦＰＣ５４９も示している。ここで、走査電極駆動回路５３を搭載した４枚のプリント基板は、走査電極に駆動電圧を供給するための３枚の電圧供給用プリント基板５３２〜５３４と、電圧供給用プリント基板５３２〜５３４のそれぞれに供給する維持パルスを発生させる維持パルス発生用プリント基板５３１である。
【００４４】
また、維持パルス発生用プリント基板５３１および電圧供給用プリント基板５３２〜５３４とシャーシ８０との間に、絶縁シート９１０、９１２で覆われた導電板９００を設けているが、図８には絶縁シート９１２のみを示している。
【００４５】
図９は、本発明の実施の形態１における維持パルス発生用プリント基板５３１および電圧供給用プリント基板５３２〜５３４に搭載されている走査電極駆動回路の回路図であり、図１０は本発明の実施の形態１における維持パルス発生用プリント基板５３１、電圧供給用プリント基板５３２〜５３４および導電板９００の配置を示す分解斜視図である。
【００４６】
維持パルス発生用プリント基板５３１には維持パルス発生部１００および初期化波形発生部３００が搭載されている。電圧供給用プリント基板５３２には走査パルス発生部４００の走査電極ＳＣ１〜ＳＣ３６０に対応する部分が搭載され、電圧供給用プリント基板５３３には走査パルス発生部４００の走査電極ＳＣ３６１〜ＳＣ７２０に対応する部分が搭載され、電圧供給用プリント基板５３４には走査パルス発生部４００の走査電極ＳＣ７２１〜ＳＣ１０８０に対応する部分が搭載されている。
【００４７】
導電板９００は、本実施の形態においては厚さ１ｍｍのアルミ板で形成され、維持パルス発生用プリント基板５３１および電圧供給用プリント基板５３２〜５３４のそれぞれと対向する面を有する大きさの形状に形成され、シャーシ８０と４枚のプリント基板５３１〜５３４との間に配置されている。さらにシャーシ８０と導電板９００との間には導電板９００とほぼ同一の形状をした絶縁シート９１０が配置され、導電板９００とプリント基板５３１〜５３４との間にも絶縁シート９１２が配置されている。絶縁シート９１０、９１２は絶縁耐圧を保証でき、ある程度の耐熱性を持つ材料であれば使用することができる。このような材料としては、例えば、変性ＰＰＥ（ポリフェニレンエーテル）、ＰＣ（ポリカーボネート）、ＰＥＴ（ポリエチレンテレフタレート）、ＡＢＳ樹脂、ポリイミド等がある。本実施の形態においては、厚さ０．３〜０．５ｍｍの変性ＰＰＥシートを絶縁シート９１０、９１２として用いている。
【００４８】
維持パルス発生用プリント基板５３１および電圧供給用プリント基板５３２〜５３４のそれぞれは絶縁シート９１２を挟んで導電板９００にビスを用いて固定されている。ここで維持パルス発生用プリント基板５３１は、導電板９００の電圧がプリント基板５３１の出力であるＰ１点の電圧と等しくなるように、プリント基板５３１の出力の配線部分で金属製のビス６３１を用いて導電板９００に固定されている。また、電圧供給用プリント基板５３２は維持パルス発生用プリント基板５３１の出力電圧を基準電圧として走査パルスを発生するが、この基準電圧であるＰ２点の電圧の配線部分で金属製のビス６３２を用いて導電板９００に固定されている。電圧供給用プリント基板５３３、５３４についても同様に、それぞれの電圧供給用プリント基板５３３、５３４の基準電圧であるＰ３点、Ｐ４点の電圧の配線部分でそれぞれ金属製のビス６３３、６３４を用いて導電板９００に固定されている。なお、絶縁シート９１２のビス固定に対応する位置には導通を妨げないように貫通孔が設けられている。
【００４９】
このようにして導電板９００は維持パルス発生用プリント基板５３１および電圧供給用プリント基板５３２〜５３４を固定するための補助シャーシとして働くだけでなく、維持パルス発生用プリント基板から電圧供給用プリント基板へ維持パルスを供給する供給経路としても作用する。そしてインピーダンスの低い導電板９００を用いて維持パルスを供給することにより、３枚の電圧供給用プリント基板５３２〜５３４へ大きなリンギングや電圧降下を生じることなく、かつ３枚の電圧供給用プリント基板５３２〜５３４間で大きなバラツキが生じることなく駆動電圧波形を供給することができる。その結果、表示画面サイズの大きいパネルを用い、走査電極駆動回路を複数のプリント基板に分割して搭載した場合であっても、輝度むら、色むら等の少ない画像表示装置を実現することができる。
【００５０】
なお、本実施の形態における走査電極駆動回路５３は維持パルス発生用プリント基板５３１および電圧供給用プリント基板５３２〜５３４を用いて構成するものとして説明したが、維持パルス発生用プリント基板５３１と電圧供給用プリント基板５３３とを接続して１枚のプリント基板で構成してもよい。
【００５１】
また、本実施の形態においては、維持パルス発生用プリント基板から電圧供給用プリント基板へ導電板だけを通して維持パルスを供給する構成について説明した。しかし、維持パルス発生用プリント基板と電圧供給用プリント基板とを電気的に接続するカプラ等を用いて、導電板の供給経路に加えてカプラ等を通して維持パルスを供給する構成としてもよい。
【００５２】
（実施の形態２）
図１１は、本発明の実施の形態２における各電極駆動回路を搭載したプリント基板の配置を示す図であり、図１２は本発明の実施の形態２における維持パルス発生用プリント基板７４１、電圧供給用プリント基板７４２〜７４４および導電板９５０の配置を示す分解斜視図である。
【００５３】
実施の形態１と同じ構成については同一の符号を付して説明を省略する。本実施の形態が実施の形態１と異なるのは、維持電極駆動回路５４を維持パルス発生用プリント基板７４１および電圧供給用プリント基板７４２〜７４４に分割し、それら４枚のプリント基板７４１〜７４４と対向するように、シャーシ８０とプリント基板７４１〜７４４との間に絶縁シート９６０、９６２で覆われた導電板９５０を設けた点である。
【００５４】
維持パルス発生用プリント基板７４１には維持パルス発生部２００が搭載されている。電圧供給用プリント基板７４２〜７４４には能動部品は特に搭載されていないが、維持電極に接続するＦＰＣ５４９が設けられている。
【００５５】
導電板９５０は、実施の形態１と同様に厚さ１ｍｍのアルミ板で形成され、維持パルス発生用プリント基板７４１および電圧供給用プリント基板７４２〜７４４のそれぞれと対向する面を有する形状に形成され、シャーシ８０と４枚のプリント基板７４１〜７４４との間に配置されている。さらにシャーシ８０と導電板９５０との間には導電板９５０とほぼ同一の形状をした絶縁シート９６０が配置され、導電板９５０とプリント基板７４１〜７４４との間にも絶縁シート９６２が配置されている。
【００５６】
維持パルス発生用プリント基板７４１および電圧供給用プリント基板７４２〜７４４のそれぞれは絶縁シート９６２を挟んで導電板９５０にビスを用いて固定されている。もちろん絶縁シート９６２のビス固定に対応する位置には導通を妨げないように貫通孔を設けている。維持パルス発生用プリント基板７４１は、導電板９５０の電圧が維持パルス発生用プリント基板７４１の出力電圧と等しくなるように、出力の配線部分で金属製のビス８４１を用いて導電板９５０に固定されている。また、電圧供給用プリント基板７４２はＦＰＣ５４９が接続された配線部分で金属製のビス８４２を用いて導電板９５０に固定されている。電圧供給用プリント基板７４３、７４４についても同様に、ＦＰＣ５４９が接続された配線部分でそれぞれ金属製のビス８４３、８４４を用いて導電板９５０に固定されている。
【００５７】
このようにして導電板９００は維持パルス発生用プリント基板７４１および電圧供給用プリント基板７４２〜７４４を固定するための補助シャーシとして働くだけでなく、維持パルス発生用プリント基板から電圧供給用プリント基板へ維持パルスを供給する供給経路としても作用する。そしてインピーダンスの低い導電板９５０を用いて維持パルスを供給することにより、大きなリンギングや電圧降下を生じることなく、かつ３枚の電圧供給用プリント基板７４２〜７４４間で大きなバラツキが生じることなく、３枚の電圧供給用プリント基板７４２〜７４４へ駆動電圧波形を供給することができる。その結果、表示画面サイズの大きいパネルを用い、走査電極駆動回路を複数のプリント基板に分割して搭載した場合であっても、輝度むら、色むら等の少ない画像表示装置を実現することができる。
【００５８】
なお、本実施の形態における維持電極駆動回路５４は４枚のプリント基板７４１〜７４４を用いて構成するものとして説明したが、維持パルス発生用プリント基板７４１と電圧供給用プリント基板７４３とを接続して１枚のプリント基板で構成してもよい。
【００５９】
また、本実施の形態においては、維持パルス発生用プリント基板から電圧供給用プリント基板へ導電板だけを通して維持パルスを供給する構成について説明した。しかし、維持パルス発生用プリント基板と電圧供給用プリント基板とを電気的に接続するカプラ等を用いて、導電板の供給経路に加えてカプラ等を通して維持パルスを供給する構成としてもよい。
【産業上の利用可能性】
【００６０】
本発明は、大画面のパネルであっても表示電極対のそれぞれに所望の駆動電圧波形を供給して、品質の良い画像を表示できるので、パネルを用いた画像表示装置として有用である。
【図面の簡単な説明】
【００６１】
【図１】本発明の実施の形態１におけるパネルの構造を示す分解斜視図
【図２】同パネルの電極配列図
【図３】本発明の実施の形態１におけるプラズマディスプレイ装置の回路ブロック図
【図４】同プラズマディスプレイ装置の走査電極駆動回路の詳細を示す回路図
【図５】同プラズマディスプレイ装置の維持電極駆動回路の詳細を示す回路図
【図６】同プラズマディスプレイ装置の駆動電圧波形図
【図７】同プラズマディスプレイ装置の構造を示す分解斜視図
【図８】同プラズマディスプレイ装置の各電極駆動回路を搭載したプリント基板の配置を示す図
【図９】同プラズマディスプレイ装置のプリント基板に搭載されている走査電極駆動回路の回路図
【図１０】同プラズマディスプレイ装置のプリント基板および導電板の配置を示す分解斜視図
【図１１】本発明の実施の形態２におけるプラズマディスプレイ装置の各電極駆動回路を搭載したプリント基板の配置を示す図
【図１２】同プラズマディスプレイ装置のプリント基板および導電板の配置を示す分解斜視図
【符号の説明】
【００６２】
１    プラズマディスプレイ装置
１０    パネル（プラズマディスプレイパネル）
２１    前面基板
２２    走査電極
２３    維持電極
２８    表示電極対
３１    背面基板
３２    データ電極
５１    画像信号処理回路
５２    データ電極駆動回路
５３    走査電極駆動回路
５４    維持電極駆動回路
５５    タイミング発生回路
８０    シャーシ
５２１，５４１，５４２，５４３    プリント基板
５２９，５３９，５４９    ＦＰＣ
５３１，７４１    （維持パルス発生用）プリント基板
５３２，５３３，５３４，７４２，７４３，７４４    （電圧供給用）プリント基板
６３１，６３２，６３３，６３４，８４１，８４２，８４３，８４４    ビス
９００，９５０    導電板
９１０，９１２，９６０，９６２    絶縁シート
ＳＣ１〜ＳＣｎ    走査電極
ＳＵ１〜ＳＵｎ    維持電極
Ｄ１〜Ｄｍ    データ電極
【図１】
2008040407.tif 000003
【図２】
2008040407.tif 000004
【図３】
2008040407.tif 000005
【図４】
2008040407.tif 000006
【図５】
2008040407.tif 000007
【図６】
2008040407.tif 000008
【図７】
2008040407.tif 000009
【図８】
2008040407.tif 000010
【図９】
2008040407.tif 000011
【図１０】
2008040407.tif 000012
【図１１】
2008040407.tif 000013
【図１２】
2008040407.tif 000014